【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
ハウジングと関連する第１のデータ通信装置を有するハウジングと、
材料を保持し、補充容器と関連する第２のデータ通信装置を有し、前記ハウジング内に収容可能な補充容器と、
前記ハウジング及び前記補充容器の一方と関連して、前記材料の分配を可能にする操作機構と、
前記第１及び第２のデータ通信装置と通信して、それらの間でのデータの共有を容易にするとともに、前記操作機構を選択的に作動するコントローラと、
を包含する分配システム。
【請求項２】
前記第２のデータ通信装置が、前記補充容器と関連した一致コードを記憶し、前記第１のデータ通信装置が、前記ハウジングと関連した識別コードを記憶し、
前記操作機構が、
前記補充容器に連結されたポンプ機構と、
前記ポンプ機構に作動的に接続され、前記ポンプ機構の作動によりノズルを介して一定量の前記材料を分配するノズルと、
前記ポンプ機構の近位に位置されたポンプアクチュエータと、
を包含し、
前記識別コードが前記一致コードと一致しない場合に、前記ポンプアクチュエータが前記コントローラによって無効にされる、請求項１記載の分配システム。
【請求項３】
分配システムが、前記ポンプアクチュエータに連結されたアクチュエータモータをさらに包含しており、
前記一致コードが前記識別コードと一致しない場合に、前記アクチュエータモータが前記コントローラによって無効にされる、請求項２記載の分配システム。
【請求項４】
分配システムが、
前記ポンプアクチュエータに連結されたアクチュエータバーと、
電源を担持するキーと、
をさらに包含しており、
前記一致コードが前記識別コードと一致しない場合に、前記アクチュエータバーが前記コントローラによってブロックされ、
前記操作機構が、前記ハウジングに担持された検出器・ロックアウトアセンブリをさらに包含し、
前記検出器・ロックアウトアセンブリが、
回転可能なシャフトを有するロックアウトモータと、
前記シャフトに固定されたプッシュバーロックアームと、
を包含し、
前記ロックアウトモータが、前記シャフト及び前記プッシュバーロックアームを前記ポンプアクチュエータに対してブロッキング位置へ回転させ、
前記ハウジングが前記キーを受け入れるポートを有し、
前記電源が充電式電池であり、ポートに挿入された時に前記コントローラ及び前記ロックアウトモータに電力を供給し、
前記キーが前記充電式電池に接続するための電池ポートを設けている、請求項２記載の分配システム。
【請求項５】
前記第２のデータ通信装置が、前記補充容器と関連した一致コードを記憶し、前記第１のデータ通信装置が、前記ハウジングと関連した識別コードを記憶し、
分配システムが、
前記一致コードを有するキーと、
前記キーを受け入れるためのキーポートを有している前記ハウジングと、
前記キーポートに受け入れられた時に前記キーに連結される通信システムと、
をさらに包含する、請求項１記載の分配システム。
【請求項６】
前記操作機構が、
前記補充容器に連結されたポンプ機構と、
前記ポンプ機構に作動的に接続され、前記ポンプ機構の作動によりノズルを介して一定量の前記材料を分配するノズルと、
前記ポンプ機構の近位に位置されたポンプアクチュエータと、
を包含し、
前記識別コードが前記一致コードと一致しない場合に、前記ポンプアクチュエータが前記コントローラによって無効にされる、請求項５記載の分配システム。
【請求項７】
分配システムが、前記ポンプアクチュエータに連結されたアクチュエータバーをさらに包含しており、
前記一致コードが前記識別コードと一致しない場合に、前記アクチュエータバーが前記コントローラによってブロックされる、請求項６記載の分配システム。
【請求項８】
分配システムが、前記キーに担持されたキーコントローラをさらに包含しており、
前記通信システムが、
ディスペンサーコントローラと、
前記識別コードを記憶するためのディスペンサーメモリ装置と、
を包含し、
前記ディスペンサーコントローラが、前記キーコントローラからの前記一致コード及び前記ディスペンサーメモリ装置からの前記識別コードを得て、前記両コードが互いに一致するか否かを判定し、
前記キーコントローラがキーカウント値を記憶し、前記識別コードと前記一致コードとの一致の各々の後に前記キーカウント値を調整し、
前記キーカウント値が所定値と等しい場合に、前記ディスペンサーコントローラが前記ポンプアクチュエータを無効にする、請求項７記載の分配システム。
【請求項９】
前記操作機構が、前記ハウジングに担持された検出器・ロックアウトアセンブリをさらに包含し、
前記検出器・ロックアウトアセンブリが、
回転可能なシャフトを有するロックアウトモータと、
前記シャフトに固定されたプッシュバーロックアームと、
を包含し、
前記ロックアウトモータが、前記シャフト及び前記プッシュバーロックアームをブロッキング位置へ回転させる、請求項７記載の分配システム。
【請求項１０】
分配システムが、前記キーに担持されたキーコントローラをさらに包含しており、
前記操作機構が、前記ポンプアクチュエータに連結されたアクチュエータモータをさらに包含し、
前記一致コードが前記識別コードと一致しない場合に、前記アクチュエータモータが前記コントローラによって無効にされ、
前記通信システムが、
ディスペンサーコントローラと、
前記識別コードを記憶するためのディスペンサーメモリ装置と、
を包含し、
前記ディスペンサーコントローラが、前記キーコントローラからの前記一致コード及び前記ディスペンサーメモリ装置からの前記識別コードを得て、前記両コードが互いに一致するか否かを判定し、
前記キーコントローラがキーカウント値を記憶し、前記識別コードと前記一致コードとの一致の各々の後に前記キーカウント値を調整し、
前記キーカウント値が所定値と等しい場合に、前記ディスペンサーコントローラが前記ポンプアクチュエータを無効にする、請求項６記載の分配システム。
【請求項１１】
分配システムが、前記キーに担持されたキーコントローラをさらに包含しており、
前記ハウジングが、
バックプレートと、
前記バックプレートに取り付け可能なフロントカバーと、
を包含し、
前記操作機構が、前記フロントカバーを前記バックプレートに解放可能に固定し、前記一致コードが前記識別コードと一致した場合にのみ前記フロントカバーを前記バックプレートから解放するラッチ機構を包含し、
前記通信システムが、
ディスペンサーコントローラと、
前記識別コードを記憶するためのディスペンサーメモリ装置と、
を包含し、
前記ディスペンサーコントローラが、前記キーコントローラからの前記一致コード及び前記ディスペンサーメモリ装置からの前記識別コードを得て、前記両コードが互いに一致するか否かを判定し、
前記キーコントローラがキーカウント値を記憶し、前記識別コードと前記一致コードとの一致の各々の後に前記キーカウント値を調整し、
前記キーカウント値が所定値と等しい場合に、前記ディスペンサーコントローラが前記ポンプアクチュエータを無効にする、請求項５記載の分配システム。
【請求項１２】
分配システムが、
前記補充袋に連結されたポンプ機構と、
前記ポンプ機構に作動的に接続され、前記ポンプ機構の作動によりノズルを介して一定量の流体を分配するノズルと、
をさらに包含しており、
前記操作機構が、前記ポンプ機構の近位に位置されたポンプアクチュエータを包含し、
前記一致コードが前記識別コードと一致しない場合に、前記ポンプアクチュエータが前記コントローラによって無効にされる、請求項１記載の分配システム。
【請求項１３】
分配システムが、
前記一致コードを有するキーと、
前記キーを受け入れるためのキーポートを有している前記ハウジングと、
前記キーポートに受け入れられた時に前記キーに連結される通信システムと、
前記キーに担持されたキーコントローラと、
をさらに包含しており、
前記通信システムが、
ディスペンサーコントローラと、
前記識別コードを記憶するためのディスペンサーメモリ装置と、
を包含し、
前記ディスペンサーコントローラが、前記キーコントローラからの前記一致コード及び前記ディスペンサーメモリ装置からの前記識別コードを得て、前記両コードが互いに一致するか否かを判定し、
前記キーコントローラがキーカウント値を記憶し、前記識別コードと前記一致コードとの一致の各々の後に前記キーカウント値を調整し、
前記キーカウント値が所定値と等しい場合に、前記ディスペンサーコントローラが前記ポンプアクチュエータを無効にする、請求項１２記載の分配システム。